(57)【要約】【課題】機器の動作状態を視覚的に判断することができるようにする。【解決手段】検出部５２１は、情報通信端末の動作状態（例えば、データ送信またはデータ受信など）を検出する。制御部５２２は、検出部５２１により検出された情報通信端末１の動作状態に応じて調光部５２３を制御する。調光部５２３は、制御部５２２の制御の下、発光部５２４を所定の色および輝度で発光させたり、発光輝度を徐々に明るくしたり、または発光輝度を徐々に暗くしたりする。本発明は、携帯型情報端末に適用することができる。【選択図】図１７
2007180934.tif 000002
【特許請求の範囲】
【請求項１】
情報通信端末の動作に応じて発光する発光手段と、
前記情報通信端末の動作状態を検出する検出手段と、
前記検出手段により検出された前記動作状態に基づいて、前記発光手段により発光される光の明暗を変化させるように制御する制御手段と
を備える情報通信端末。
【請求項２】
前記制御手段は、データの送受信に応じて前記発光手段の発光輝度を変化させる
請求項１に記載の情報通信端末。
【請求項３】
前記制御手段は、前記データの送信時、前記発光手段の発光輝度を徐々に明るくする
請求項２に記載の情報通信端末。
【請求項４】
前記制御手段は、前記データの受信時、前記発光手段の発光輝度を徐々に暗くする
請求項２に記載の情報通信端末。
【請求項５】
前記発光手段は、導光管を介して発光素子を発光させる
請求項１に記載の情報通信端末。
【請求項６】
情報通信端末の動作に応じて発光し、
前記情報通信端末の動作状態を検出し、
検出された前記動作状態に基づいて、発光される光の明暗を変化させるように制御する
ステップを含む情報処理方法。
【請求項７】
情報通信端末の動作に応じて発光し、
前記情報通信端末の動作状態を検出し、
検出された前記動作状態に基づいて、発光
される光の明暗を変化させるように制御する
ステップを含む処理をコンピュータに実行させるプログラム。
【発明の詳細な説明】
【技術分野】
【０００１】
本発明は、情報通信端末および情報処理方法、並びにプログラムに関し、特に、機器の動作状態を視覚的に呈示することができるようにした情報通信端末および情報処理方法、並びにプログラムに関する。
【背景技術】
【０００２】
現在、携帯電話機やＰＨＳ等の、無線を利用して音声通信およびデータ通信を行う携帯式無線通信端末器が広く用いられている。通常、これらの携帯式無線通信端末器においては、電波の受信感度と、通信回線の使用の有無とが表示されるようになっている。
【０００３】
例えば、折りたたみ式携帯電話機において、本体を閉じた状態であっても、本携帯電話機が使用可能か否か、すなわち、受信状態が圏内か圏外かを表示する表示ランプが本体の外側表面に設けられているものがあったり、あるいは、受信電界強度と電池残量をそれぞれ表示する２つの発光素子が設けられているものがあったりする。
【０００４】
また例えば、無線の受信感度と通信回線の使用の有無の双方を確認することができるように、光を発する技術がある（例えば、特許文献１）。
【特許文献１】特開平１１−３４０９００号公報
【発明の開示】
【発明が解決しようとする課題】
【０００５】
しかしながら、上述した特許文献１の技術は、データ通信中であるか否かに応じてダイオードを点灯または消灯させるものであり、データ送信中またはデータ受信中のいずれであるかをユーザに認知させることはできない。
【０００６】
本発明はこのような状況に鑑みてなされたものであり、機器の動作状態を視覚的に呈示することができるようにするものである。
【課題を解決するための手段】
【０００７】
本発明の一側面の情報通信端末は、情報通信端末の動作に応じて発光する発光手段と、前記情報通信端末の動作状態を検出する検出手段と、前記検出手段により検出された前記動作状態に基づいて、前記発光手段により発光される光の明暗を変化させるように制御する制御手段とを備える。
【０００８】
前記制御手段には、データの送受信に応じて前記発光手段の発光輝度を変化させることができる。
【０００９】
前記制御手段には、前記データの送信時、前記発光手段の発光輝度を徐々に明るくさせることができる。
【００１０】
前記制御手段には、前記データの受信時、前記発光手段の発光輝度を徐々に暗くさせることができる。
【００１１】
前記発光手段には、導光管を介して発光素子を発光させることができる。
【００１２】
本発明の一側面の情報処理方法またはプログラムは、情報通信端末の動作に応じて発光し、前記情報通信端末の動作状態を検出し、検出された前記動作状態に基づいて、発光される光の明暗を変化させるように制御するステップを含む。
【００１３】
本発明の一側面においては、情報通信端末の動作状態が検出され、検出された動作状態に基づいて発光される光の明暗が変化される。
【発明の効果】
【００１４】
本発明の一側面によれば、機器の動作状態を視覚的に呈示することができる。
【発明を実施するための最良の形態】
【００１５】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が発明に対応するものとしてここに記載されていたとしても、そのことは、その実施の形態が、その構成要件以外には対応しないものであることを意味するものでもない。
【００１６】
本発明の一側面の情報通信端末（例えば、図１の情報通信端末１−１乃至１−３）は、情報通信端末の動作に応じて発光する発光手段（例えば、図１７の発光部５２４）と、前記情報通信端末の動作状態を検出する検出手段（例えば、図１７の検出部５２１）と、前記検出手段により検出された前記動作状態に基づいて、前記発光手段により発光される光の明暗を変化させるように制御する制御手段（例えば、図１７の制御部５２２）とを備える。
【００１７】
この情報通信端末の制御手段には、データの送受信に応じて前記発光手段の発光輝度を変化させる（例えば、図１８乃至図２５に示すように調光させる）ことができる。
【００１８】
この情報通信端末の制御手段には、前記データの送信時、前記発光手段の発光輝度を徐々に明るくさせる（例えば、図１８に示すように周期Ｔ1毎に発光輝度を徐々に明るくさせる）ことができる。
【００１９】
この情報通信端末の制御手段には、前記データの受信時、前記発光手段の発光輝度を徐々に暗くさせる（例えば、図１９に示すように周期Ｔ2毎に発光輝度を徐々に暗くさせる）ことができる。
【００２０】
前記発光手段には、導光管（例えば、図９の導光管８５）を介して発光素子（例えば、図９の発光素子８４）を発光させることができる。
【００２１】
本発明の一側面の情報処理方法またはプログラムは、情報通信端末の動作に応じて発光し、前記情報通信端末の動作状態を検出し（例えば、ステップＳ１またはステップＳ３１）検出された前記動作状態に基づいて、発光される光の明暗を変化させるように制御するステップ（例えば、図２７のステップＳ１１乃至ステップＳ１７）を含む。
【００２２】
以下、図を参照して、本発明の実施の形態について説明する。
【００２３】
図１を参照して、本発明を適用した情報通信端末１-１乃至情報通信端末１-３を含む情報通信システムについて説明する。なお、図１において、情報通信端末１-１乃至情報通信端末１-３は、同一の機能を有する装置である。
【００２４】
情報通信端末１-１乃至情報通信端末１-３は、例えば、各種プログラムを実行して、無線および有線を介した情報通信機能、各種情報を記録する機能、音声や映像を再生する機能、記録された各種情報、再生された映像、ユーザの操作入力の補助となる情報（いわゆるＧＵＩ（Graphic User Interface））などを表示する機能、各種入力デバイスを備えてユーザの操作入力を受ける機能などを有している。以下の説明においては、情報通信端末１-１乃至情報通信端末１-３を個々に区別する必要がない場合、単に、情報通信端末１と称する。
【００２５】
具体的には、情報通信端末１は、例えば、802.11bの規格に対応したＷＬＡＮ（Wireless Local Area Network；無線LAN）機能を有して他の装置と接続し、情報を授受することができる。情報通信端末１は、WLANにおいて、アクセスポイントを介して通信を行うインフラストラクチャモードと、アクセスポイントを介さずに機器同士が直接通信を行うアドホックモードのいずれかを選択的に用いることができる。また、情報通信端末１は、例えば、USB(Universal Serial Bus)2.0の規格に対応して有線で他の機器と接続し、情報を授受することができる。なお、情報通信端末１のUSB接続は、MSC（MassStorageClass）とMTP（Media Transfer Protocol）に対応し、選択的に用いることができる。
【００２６】
すなわち、情報通信端末１は、所定のサービスに加入している機器、または、所定のアプリケーションプログラムがインストールされ、所定の設定が施されている機器であれば、情報通信端末１同士でなくとも、有線、または、無線を介して、また、所定のアクセスポイントを介して、または、アクセスポイントを介さずに、情報を授受することが可能である。
【００２７】
情報通信端末１は、例えば、一般的な揮発性メモリ以外に、FlashMemory（例えば、１GB程度の記憶容量を有する）を備えている。また、情報通信端末には、必要に応じて、例えばハードディスクなどの、さらに大容量の記憶部を備えるようにしてもよい。また、情報通信端末１は、表示デバイスとしてＬＣＤ（Liquid Crystal display）を備え、入力デバイスとしてキーボードを備えているが、必要に応じて、マウスやジョイスティックなどの他の入力デバイスを接続するようにしてもよいし、ＬＣＤとともにタッチパネルを備えるようにしてもよい。
【００２８】
また、情報通信端末１は、例えば、ATRAC（Advanced TRansform Acoustic Coding）3、MP3（MPEG Audio Layer-3）、WMA（Windows（登録商標） Media Audio）などのオーディオコーディック方式に対応して、供給された音声データを記録または再生することができる。そして、情報通信端末１は、いわゆる、Photo Viewer機能を備えており、画像データを記憶するとともに、その画像データを再生表示することができる。さらに、情報通信端末１は、例えば、OpenMG、WMT10（Janus）などの各種のDRM（Digital Rights Management；デジタル著作権管理）に対応し、著作者の許諾を得ない違法なデータの配布・交換などを防止することができる。
【００２９】
また、情報通信端末１は、例えば、ＩＰ電話、インスタントメッセンジャー、電子メール、ウェブブラウザ、テキストエディタなどの、各種のアプリケーションプログラムをインストールして実行することができる。
【００３０】
また、情報通信端末１は、ユーザが片手で把持可能な大きさで構成され、ユーザにより携帯が可能なようになされると好適である。
【００３１】
情報通信端末１は、無線通信により、直接、インターネットなどのネットワーク１１と接続可能であり、ネットワーク１１を介して、各種サーバ１２、パーソナルコンピュータ１３、または、他の情報通信端末１（図中、情報通信端末１-１と情報通信端末１-２で示される）と情報を授受することができる。
【００３２】
さらに、情報通信端末１は、他の情報通信端末１（図中、情報通信端末１-１と情報通信端末１-２で示される）と、無線通信で、直接、情報を授受することも可能である。
【００３３】
また、情報通信端末１は、パーソナルコンピュータ１３とも接続可能であり（図中の情報通信端末１-３）、パーソナルコンピュータ１３と情報を授受することができるとともに、パーソナルコンピュータ１３が接続されているネットワーク１１（例えば、インターネット）を介して、各種サーバや他の情報通信端末と情報を授受することができる。
【００３４】
また、情報通信システムのネットワーク１１には、さらに多くの情報通信端末１、サーバ１２、または、パーソナルコンピュータ１３を接続することができるのは言うまでもない。
【００３５】
次に、図２乃至図９を参照して、情報通信端末１の外形について説明する。図２は、情報通信端末１の正面外形図である。
【００３６】
情報通信端末１は、その正面に、表示部２１、ＷＬＡＮモード切替ボタン２２、ＨＯＭＥボタン２３、ＢＡＣＫボタン２４、オプションボタン２５、４方向キー２６、決定ボタン２７、スピーカ２８、および、マイク２９を備え、図中、表示部２１に向かって左側側面に、ＷＬＡＮ ＯＮ/ＯＦＦスイッチ３０、ＷＬＡＮ状態通知発光部３１、電源状態通知発光部３２、および、電源スイッチ３３を備え、表示部２１に向かって右側側面に通信状態通知発光部３４を備え、表示部２１に向かって下側側面に、ミュージックキー３５を備えている。
【００３７】
表示部２１は、例えば、ＬＣＤなどの平面ディスプレイにより構成され、各種情報を表示可能なようになされている。表示部２１に表示される情報のうち、情報通信端末１の状態を示す情報の表示については、図８および図１０を用いて説明する。また、情報通信端末１の各種処理時において表示部２１に表示される情報についても、適宜、後述する。
【００３８】
ＷＬＡＮモード切替ボタン２２は、無線ＬＡＮのONとOFFを切り替える操作入力を行うためのボタンである。
【００３９】
ＨＯＭＥボタン２３は、表示部２１に現在表示されている情報の種類にかかわらず、表示部２１に図１４を用いて後述するＨＯＭＥメニューを表示させるため操作入力を行うためのボタンである。
【００４０】
ＢＡＣＫボタン２４は、表示画面を１つ前の画面に戻すための操作入力を行うためのボタンである。
【００４１】
オプションボタン２５は、オプションの各種設定のための表示画面を表示させるための操作入力を行うためのボタンである。
【００４２】
４方向キー２６は、表示部２１に表示された情報において、例えば、カーソルを移動させたり、メニュー、または、ボタンやアイコンなどの選択を変更させるなどの操作入力を行うためのキーである。
【００４３】
決定ボタン２７は、選択状態のメニュー、または、ボタンやアイコンなどの選択を決定するための操作入力を行うためのボタンである。
【００４４】
スピーカ２８は、例えば、ＩＰ電話が用いられた場合などにおいて、通話の音声を出力したり、情報通信端末１に記録された音声データのうち、所定のアプリケーションにより再生される音声を出力するスピーカである。
【００４５】
マイク２９は、例えば、ＩＰ電話が用いられた場合などにおいて、通話の音声を入力したり、所定のアプリケーションにより取得される音声を集音する。
【００４６】
ＷＬＡＮ ＯＮ/ＯＦＦスイッチ３０は、情報通信端末１の無線通信機能の有効と無効を切り替える場合にユーザにより操作されるスイッチである。
【００４７】
ＷＬＡＮ状態通知発光部３１は、例えば、ＬＥＤ（light emitting diode）などの発光素子８１および導光管８３（図９）で構成される、情報通信端末１の無線通信機能の有効と無効をユーザに通知するための発光部であり、例えば、無線通信機能が有効である場合に点灯、無効である場合に消灯される。点灯時、ＷＬＡＮ状態通知発光部３１は、導光管８３を介して発光素子８１を発光させる。
【００４８】
電源状態通知発光部３２は、例えば、ＬＥＤなどの発光素子８２および導光管８３で構成される、情報通信端末１の電源が入っているか否か、充電中であるか、充電が終了されたかなどをユーザに通知するための発光部であり、例えば、電源ON時に点灯、電源OFF時に消灯され、充電時には、電源ON時とは異なる色で点灯されるようになされている。点灯時、ＷＬＡＮ電源状態通知発光部３２は、導光管８３を介して発光素子８２を発光させる。
【００４９】
電源スイッチ３３は、情報通信端末１の電源を入り切りするためのスイッチである。
【００５０】
通信状態通知発光部３４は、例えば、ＬＥＤなどの発光素子８４および導光管８５（図９）で構成される、情報通信端末１の通信状態をユーザに通知するための発光部であり、例えば、WLANインフラストラクチャモード時とWLANアドホックモード時とで、異なる色で点灯したり、IP電話の着信時に、さらに異なる色で点滅点灯するなど、無線通信の状態に応じた色で、点灯、点滅、消灯を行うことができる。点滅点灯時、通信状態通知発光部３４は、導光管８５を介して発光素子８４を発光させる。通信状態通知発光部３４の詳細については、後述する。
【００５１】
ここで、WLANインフラストラクチャモードとは、無線LANアクセスポイントを介して通信を行う方式のことであり、WLANアドホックモードとは、無線LANアクセスポイントを介せずに、直接装置同士でデータを授受する方式のことである。
【００５２】
ミュージックキー３５は、情報通信端末１において音声データを再生する場合の、再生開始、再生終了、早送り、巻き戻し、一旦停止、および、正逆方向ＡＭＳ（Auto Music Scan;頭出し）などの操作入力を行うためのキーである。
【００５３】
次に、図３は、情報通信端末１の、裏側（表示部２１の設けられていない側）の外形図である。
【００５４】
情報通信端末１の裏側には、バッテリーカバー４１が設けられ、通信状態通知発光部３４が設けられている側に、リンガースピーカ４２、HOLDスイッチ４３、および、ボリュームボタン４４が設けられている。
【００５５】
バッテリーカバー４１は、情報通信端末１の各部に電源を供給するバッテリを装着する装着部分とバッテリのカバーである。
【００５６】
リンガースピーカ４２は、主に、情報通信端末１に蓄積されている音声データのうちの楽曲データや、他の情報通信端末１などからストリーミングされた楽曲データなどを再生出力したり、ＩＰ電話が用いられた場合の呼び出し音などを再生出力するスピーカである。
【００５７】
HOLDスイッチ４３は、例えば、ポケットやバッグの中にしまわれた情報通信端末１において、いずれかのボタンやスイッチが、ユーザの意に反して操作されてしまうようなことが無いように、すべてのボタンやスイッチ等の入力を無効にする場合に操作されるスイッチである。
【００５８】
ボリュームボタン４４は、リンガースピーカ４２から出力される音声のボリュームを調節する場合にユーザから操作されるものである。
【００５９】
次に、図４は、情報通信端末１の、上側側面（WLAN ON/OFFスイッチ３０が設けられている側）の外形図である。
【００６０】
情報通信端末１の上側側面には、USBコネクタ５１およびコネクタジャック５２が設けられている。
【００６１】
USBコネクタ５１には、ＵＳＢケーブルが接続され、他の装置と情報を授受することができる。USBコネクタ５１としては、少なくともダウンストリーム側のコネクタ（パーソナルコンピュータ１３と接続するための、いわゆるシリーズＢやシリーズ・ミニＢ）が設けられている必要があり、さらに、周辺機器を接続するためのアップストリーム用のコネクタ（いわゆるシリーズＡ）が設けられているものとしてもよい。また、情報通信端末１は、ＵＳＢ接続により、電源の供給を受けることも可能である。
【００６２】
コネクタジャック５２は、例えば、１０pinの平型メスコネクタなどで構成され、ヘッドホンやマイクなどの音声入出力デバイスを接続することができる。
【００６３】
ＤＣジャック５３は、ＤＣ電源の供給を受けるものである。一般的には、ＤＣジャック５３には、ＡＣ／ＤＣアダプタが装着され、家庭用電源（１００Ｖ交流）がＡＣ／ＤＣアダプタにより所定電圧の直流に変換されて供給されるようになされている。
【００６４】
次に、図５は、情報通信端末１の表示部２１が設けられている側から向かって右側面（通信状態通知発光部３４が設けられている側）の外形図である。
【００６５】
通信状態通知発光部３４、HOLDスイッチ４３、および、ＤＣジャック５３は、情報通信端末１の右側面において、図５に示されるように配置されている。
【００６６】
次に、図６は、情報通信端末１の表示部２１が設けられている側から向かって左側面（WLAN ON/OFFスイッチ３０および電源スイッチ３３が設けられている側）の外形図である。
【００６７】
WLAN ON/OFFスイッチ３０、WLAN状態通知発光部３１、電源状態通知発光部３２、および、電源スイッチ３３は、情報通信端末１の左側面において、図６に示されるように配置されている。
【００６８】
そして、図７は、情報通信端末１の、下側側面（電源スイッチ３３やミュージックキー３５が設けられている側）の外形図である。
【００６９】
電源状態通知発光部３２、電源スイッチ３３、通信状態通知発光部３４、ミュージックキー３５、HOLDスイッチ４３、および、ボリュームボタン３３は、情報通信端末１の下側側面において、図７に示されるように配置されている。
【００７０】
そして、情報通信端末１は、表示部２１、ＷＬＡＮモード切替ボタン２２、ＨＯＭＥボタン２３、ＢＡＣＫボタン２４、オプションボタン２５、４方向キー２６、決定ボタン２７、スピーカ２８、および、マイク２９が設けられている正面の筐体６１の部分を上側（表示部２１の表示面に向かって上側）にスライドさせることができるように構成されており、筐体６１の部分がスライドされることにより、キーボード７１が現れるようになされている。図８は、筐体６１がスライドされた場合の外観図である。
【００７１】
次に、図９は、情報通信端末１のキーボード７１の内側の外形図である。
【００７２】
情報通信端末１のキーボード７１の内側には、ＷＬＡＮ状態通知発光部３１を構成する発光素子８１、電源状態通知発光部３２を構成する発光素子８２、ＷＬＡＮ状態通知発光部３１と電源状態通知発光部３２を構成する導光管８３、通信状態通知発光部３４を構成する発光素子８４および導光管８５が設けられている。
【００７３】
発光素子８１，８２は、導光管８３の円弧の端面に配置されており、効率よく導光管８３内に光を導入させることができる。また発光素子８１，８２は、導光管８３の白色印刷の直後に配置されることにより、白色印刷を介して導光管８３を発光させることができる。
【００７４】
導光管８３は、例えば、透明ポリカーボネートからなり、超音波溶着により外装ケースに取り付けられているため、強度と外観の両方を実現している。導光管８３の隣には、導光管８３と質感を統一したWLAN ON/OFFスイッチ３０および電源スイッチ３３が配置されており、デザイン的な統一感が得られるとともに、スイッチがオンされるとすぐ横の発光素子８１，８２が光るという判りやすいユーザインターフェースを実現している。
【００７５】
導光管８３の背面には、白色印刷が施されており、背面の光の反射により導光管８３を広い範囲で発光させることができ、発光素子８１，８２が発光していない場合にも発光素子８１，８２が外観から見えないようになされている。また導光管８３は、導光管８３の中の光の経路を確保するために導光管形状を緩やかな曲率の円弧で形成されているとともに、発光の仕方が不均一にならないように導光管８３の体裁から見える部分についてフラットな形状とされている。さらに導光管８３は、その形状にＣ面を形成することにより、Ｃ面での光の反射により、光っていることの視認性を向上させるようにしている。
【００７６】
発光素子８４は、導光管８５の円弧の端面に配置されており、効率よく導光管８５内に光を導入させることができる。また発光素子８４は、導光管８５の白色印刷の直後に配置されることにより、白色印刷を介して導光管８５を発光させることができる。
【００７７】
導光管８５は、例えば、透明ポリカーボネートからなり、超音波溶着により外装ケースに取り付けられているため、強度と外観の両方を実現している。導光管８５の背面には、白色印刷が施されており、背面の光の反射により導光管８５を広い範囲で発光させることができ、発光素子８４が発光していない場合にも発光素子８４が外観から見えないようになされている。また導光管８５は、導光管８５の中の光の経路を確保するために導光管形状を緩やかな曲率の円弧で形成されているとともに、発光の仕方が不均一にならないように導光管８５の体裁から見える部分についてフラットな形状とされている。さらに導光管８５は、その形状にＣ面を形成することにより、Ｃ面での光の反射により、光っていることの視認性を向上させるようにしている。
【００７８】
次に、電源およびＷＬＡＮに関する操作入力と、図２乃至図９を用いて説明したそれぞれの発光部の状態について説明する。
【００７９】
まず、情報通信端末１の電源がOFFである状態においては、電源状態通知発光部３２を含むいずれの発光部も点灯しない。そして、電源OFFの状態において、電源スイッチ３３が操作され、電源ONの状態となった場合、電源状態通知発光部３２は、電源ONであることを示す所定の色で点灯し、ユーザからの、通常操作をうけることができる状態となる。
【００８０】
情報通信端末１の電源がONである状態、すなわち、電源状態通知発光部３２が、電源が入っていることを示す色で点灯している状態において、WLANがOFFの状態、すなわち、WLAN状態通知発光部３１が消灯している状態から、WLANをONする場合、ユーザは、WLAN ON/OFFスイッチ３０を操作する。例えば、WLAN ON/OFFスイッチ３０がスライド式のスイッチであり、所定方向にスライドさせることにより、ON/OFFの切り替えが行われる場合、ユーザは、WLAN ON/OFFスイッチ３０をスライドさせる。その操作によって、情報通信端末１は、無線通信可能状態となり、WLAN状態通知発光部３１が点灯する。
【００８１】
WLAN ON/OFFスイッチ３０が操作されて、無線通信が開始された場合、情報通信端末１は、WLANインフラストラクチャモードとWLANアドホックモードとのいずれかの通信モードになる。いずれの通信モードが選択されるかは、設定によって決められていてもよいし、情報通信端末１が最後に無線通信を行ったときの通信モードとなるようにしてもよい。
【００８２】
通信状態通知発光部３４は、情報通信端末１の現在の通信モードが、WLANインフラストラクチャモードとWLANアドホックモードとのいずれであるかに基づいて、所定の色で点灯する。また、通信状態通知発光部３４は、接続状態に関係なくWLAN状態通知発光部３１が点灯した後に点灯するようにしてもよいし、接続が確定した際に点灯するようにしてもよい。また、情報通信端末１が受信する電波の強度に伴って、通信状態通知発光部３４の光度が変化するようにしても良い。
【００８３】
情報通信端末１の電源がONである状態、すなわち、電源状態通知発光部３２が、電源が入っていることを示す色で点灯している状態で、かつ、通信モードがWLANインフラストラクチャモード状態、すなわち、WLAN状態通知発光部３１が点灯しているとともに、通信状態通知発光部３４がWLANインフラストラクチャモードであることを示す所定の色で点灯されている状態において、通信モードを、WLANインフラストラクチャモードからWLANアドホックモードに切り替える場合、ユーザは、WLANモード切替ボタン２２を操作する。例えば、WLANモード切替ボタン２２が押下されることにより、情報通信端末１の通信モードが、WLANインフラストラクチャモードとWLANアドホックモードとで切り替わるようになされている場合、ユーザは、WLANモード切替ボタン２２を押下する。その操作によって、通信モードはWLANアドホックモードに切り替えられ、通信状態通知発光部３４の点灯色は、WLANインフラストラクチャモードであることを示す所定の色からWLANアドホックモードであることを示す所定の色に変更される。
【００８４】
また、情報通信端末１の通信モードがWLANアドホックモード状態、すなわち、WLAN状態通知発光部３１が点灯しているとともに、通信状態通知発光部３４がWLANアドホックモードであることを示す所定の色で点灯されている状態において、通信モードがWLANアドホックモードからWLANインフラストラクチャモードに切り替えられる場合にも、ユーザは、WLANモード切替ボタン２２を操作する。その操作によって、情報通信端末１の通信モードはWLANインフラストラクチャモードに切り替えられ、通信状態通知発光部３４の点灯色は、WLANアドホックモードであることを示す所定の色からWLANインフラストラクチャモードであることを示す所定の色に変更される。
【００８５】
そして、情報通信端末１の電源がONである状態、すなわち、電源状態通知発光部３２が、電源が入っていることを示す色で点灯している状態からWLANをOFFする場合、ユーザは、WLAN ON/OFFスイッチ３０操作する。例えば、WLAN ON/OFFスイッチ３０がスライド式のスイッチであり、所定方向にスライドさせることにより、ON/OFFの切り替えが行われる場合、ユーザは、WLAN ON/OFFスイッチ３０をスライドさせる。その操作によって、情報通信端末１のWLANによる通信は終了され、WLAN状態通知発光部３１が消灯する。
【００８６】
そして、通信状態通知発光部３４が、接続状態に関係なくWLAN状態通知発光部３１が点灯した後に点灯するようになされている場合、通信状態通知発光部３４は、WLAN状態通知発光部３１が消灯するとともに、消灯する。また、通信状態通知発光部３４が、接続が確定した際に点灯するようになされている場合、通信状態通知発光部３４は、WLANがONであっても無線接続が切れた場合に消灯するようになされ、接続状態でWLANがOFFされたときには、WLAN状態通知発光部３１が消灯するとともに、消灯する。
【００８７】
また、電源OFF状態には、２つの状態があり、その１つ目は、ユーザにより電源OFF操作が行われた後操作入力が行われない状態が３日以内である電源OFF状態１（User OFF状態）である。情報通信端末１は、電源OFF状態１において電源ON操作を受けた場合、直ちに起動することができるようになされている（直ちに起動することができるように、後述するプロセッサなどには電源を供給しておく）。
【００８８】
２つ目の状態は、ユーザにより電源OFF操作が行われた後操作入力が行われない状態が３日以上続いた状態であるか、または、バッテリを抜いている状態である、電源OFF状態２（Deep OFF状態）である。情報通信端末１は、電源OFF状態２において電源ON操作を受けた場合、起動するまでに、例えば、３０秒などの所定の時間が必要となる（後述するプロセッサなどに電源を供給しない）。
【００８９】
また、情報通信端末１は、ＵＳＢコネクタ５１を介してUSB接続が行われることにより、または、ＤＣジャック５３からＤＣ電源が供給される（一般的には、家庭用AC電源などから、ＡＣ/ＤＣコンバータを介して、ＤＣ電源の供給を受ける）ことにより、充電することができる。充電中において、電源状態通知発光部３２は、充電中であることを示す所定の色で点灯するようになされている。
【００９０】
次に、表示部２１において基本的に常時表示されている常時表示パネルについて説明する。
【００９１】
常時表示パネル１０１は、例えば、図１０に示されるように、表示部２１の下部１辺に沿った所定の領域に設けられており、基本的には、常に表示され、例えば、図１１に示されるような、情報通信端末１の状態を示す各種の情報を表示するようになされている。
【００９２】
常時表示パネル１０１には、例えば、電池残量表示エリア１１１、WLAN電波強度表示エリア１１２、WLAN状態表示エリア１１３、通信利用アプリケーション状態表示エリア１１４、キーボード入力モード表示エリア１１５、および、時計表示エリア１１６が設けられている。
【００９３】
電池残量表示エリア１１１には、電池の残量を示す情報が表示される。具体的には、電池残量表示エリア１１１には、例えば、0%、25%、50%、75%、100%の粒度で電池の残量が表示され、充電中は充電中を示すアニメーションが表示される。
【００９４】
WLAN電波強度表示エリア１１２には、WLANの強度を示す情報が表示される。具体的には、WLAN電波強度表示エリア１１２には、例えば、0、１、２、３の4段階でWLANの強度が表示される。
【００９５】
WLAN状態表示エリア１１３には、WLANのモードと接続状態を示す情報が表示される。具体的には、WLAN状態表示エリア１１３には、例えば、WLANモードが、OFF、インフラストラクチャモード、アドホックモードのいずれであるかを示す情報や、接続状態が、接続中またはOFFLINEのいずれであるかを示す情報などが表示される。
【００９６】
通信利用アプリケーション状態表示エリア１１４には、WLANのインフラストラクチャモードおよびアドホックモードのいずれかを用いて通信が実行されるアプリケーションの実行状態に関する情報が表示される。具体的には、例えば、インフラストラクチャモードにおいてIP電話アプリケーションが実行されている場合、通信利用アプリケーション状態表示エリア１１４には、IP電話アプリケーションの実行状態が表示され、インフラストラクチャモードにおいてインスタントメッセンジャーアプリケーションが実行されている場合、通信利用アプリケーション状態表示エリア１１４には、インスタントメッセンジャーアプリケーションの実行状態が表示され、アドホックモードにおいて、アドホック接続を利用するアプリケーションが実行されている場合、通信利用アプリケーション状態表示エリア１１４には、例えば、一対一通信中か否かを示す情報など、アドホックモードの接続情報が表示される。
【００９７】
キーボード入力モード表示エリア１１５には、キーボード上の特殊キー(例えば、ALT、NUM、SHIFT、Fnなど）の入力モードが示される。また、キーのHOLD時には、キーボード入力モード表示エリア１１５に、HOLDマークが表示される。
【００９８】
そして、時計表示エリア１１６には、現在時刻情報が表示される。
【００９９】
なお、常時表示パネル１０１には、上述した以外の情報通信端末１の状態を示す各種の情報を表示するようにしてもよいことは言うまでもない。
【０１００】
次に、図１２は、情報通信端末１の内部構成例を示すブロック図である。
【０１０１】
情報通信端末１は、主にアプリケーションプログラムの実行などを司るアプリケーションプロセッサ１３１と、音声データの管理、オーディオコーディック、および、著作権管理などの機能を司るオーディオプロセッサ１３２とを備えている。アプリケーションプロセッサ１３１とオーディオプロセッサ１３２とは、例えば、１つ、または複数のシリアルインタフェース、または、パラレルインタフェースにより接続され、制御信号やデータの授受が行われるようになされている。
【０１０２】
アプリケーションプロセッサ１３１は、クロック発生部１４１により発生されるクロックに基づいて、各種処理を実行するものである。アプリケーションプロセッサ１３１により実行される機能の詳細については、図１３を参照して後述する。
【０１０３】
アプリケーションプロセッサ１３１には、表示モジュール１４２、バックライトドライバ１４３、発光モジュール１４４、オーディオ変換モジュール１４５、フラッシュメモリ１４６、メモリ１４７、無線通信モジュール１４８、キーボードモジュール１４９、および、入力モジュール１５０が接続されている。入力モジュール１５０は、オーディオプロセッサ１３２にも接続されている。
【０１０４】
表示モジュール１４２は、表示部２１を含んで構成され、表示部２１がＬＣＤで構成されている場合は、ＬＣＤドライバ、ＬＣＤのバックライト、必要に応じて、導光板など、表示部２１による情報の表示に必要となるもので構成されており、アプリケーションプロセッサ１３１の制御に基づいて、各種情報を表示する。
【０１０５】
バックライトドライバ１４３は、表示部２１のバックライトのドライバである。
【０１０６】
発光モジュール１４４は、WLAN状態通知発光部３１、電源状態通知発光部３２、および、通信状態通知発光部３４と、これらの発光部に含まれる発光素子のドライバにより構成されており、アプリケーションプロセッサ１３１の制御に基づいて、WLAN状態通知発光部３１、電源状態通知発光部３２、および、通信状態通知発光部３４のそれぞれを、所定の色で点灯、点滅、または、消灯させる。
【０１０７】
オーディオ変換モジュール１４５は、例えば、PLL回路、A/Dコンバータ、D/Aコンバータ、DSPコアなどを内蔵しており、DSPコアにおいては、ハイパス・フィルタやノッチ・フィルタなどのフィルタリング処理やイコライザなどの処理を行うことができ、アプリケーションプロセッサ１３１の制御に基づいて、マイク２９、または、コネクタジャック５２に接続されたマイクにより集音された音声をA/D変換して、フィルタリングなどの所定の処理を施した後、アプリケーションプロセッサ１３１に供給したり、アプリケーションプロセッサ１３１から供給されたオーディオデータをD/A変換し、スピーカ２８に音声データを出力して再生させるか、または、オーディオ信号処理モジュール１５２を介して、コネクタジャック５２に接続されたヘッドホンなどに音声データを出力して再生させる。
【０１０８】
フラッシュメモリ１４６は、例えば、６４MB程度の記憶容量を有しており、アプリケーションプロセッサ１３１において実行されるプログラムや、プログラムの実行に必要な情報や各種変数が設定されたレジスタなど、電源供給停止後も消去されない情報を記憶する。
【０１０９】
メモリ１４７は、例えば、SDRAM(Synchronous Dynamic Random Access Memory)などで構成され、例えば、６４MB程度の記憶容量を有しており、アプリケーションプロセッサ１３１において実行される処理に必要な情報を記憶する。
【０１１０】
無線通信モジュール１４８は、例えば、802.11bの規格に対応したＷＬＡＮの機能を実現するユニットであり、アプリケーションプロセッサ１３１の制御に基づいて、無線通信を実行し、他の装置と直接、または、アクセスポイントおよびネットワークを介して、情報を授受する。
【０１１１】
キーボードモジュール１４９は、キーボード７１を含んで構成され、ユーザの操作入力を受け、操作内容を示す信号を、アプリケーションプロセッサ１３１に供給する。
【０１１２】
入力モジュール１５０は、ＷＬＡＮモード切替ボタン２２、ＨＯＭＥボタン２３、ＢＡＣＫボタン２４、オプションボタン２５、４方向キー２６、決定ボタン２７、ＷＬＡＮ ＯＮ/ＯＦＦスイッチ３０、電源スイッチ３３、ミュージックキー３５、HOLDスイッチ４３、および、ボリュームボタン４４に対応し、ユーザの操作入力を受け、操作内容を示す信号を、アプリケーションプロセッサ１３１またはオーディオプロセッサ１３２に供給する。
【０１１３】
オーディオプロセッサ１３２は、クロック発生部１５１−１またはクロック発生部１５１-２により発生されるクロックに基づいて、各種処理を実行するものである。オーディオプロセッサ１３２は、主に、オーディオデータを扱うプロセッサであるので、オーディオデータのコーディック処理などに用いられる基本クロックと、他の信号処理に用いられる基本クロックとの２つのクロック入力を受けるようにすると好適である。オーディオプロセッサ１３２により実行される機能の詳細については、図１４を参照して後述する。
【０１１４】
オーディオプロセッサ１３２には、上述した入力モジュール１５０に加えて、オーディオ信号処理モジュール１５２、USBコネクタ５１、リアルタイムクロック（RTC）１５３、大容量フラッシュメモリ１５４、メモリバス１５５が接続されており、メモリバス１５５には、フラッシュメモリ１５６およびメモリ１５７が接続されている。また、オーディオプロセッサ１３２は、コネクタジャック５２の挿抜検出信号も供給される。
【０１１５】
オーディオ信号処理モジュール１５２は、例えば、D/Aコンバータ、デジタルフィルタ、音声出力（ヘッドホンまたはスピーカ）アンプなどを内蔵しており、オーディオプロセッサ１３２、または、オーディオ変換モジュール１４５から供給された音声データをD/A変換し、必要に応じてフィルタリングを施して増幅し、リンガースピーカ４２またはコネクタジャック５２に供給して、再生出力する。また、オーディオ信号処理モジュール１５２は、オーディオプロセッサ１３２から、オーディオ出力のみならず、いわゆるビープ音やIP電話などの呼び出し音の出力の指令を受け、リンガースピーカ４２またはコネクタジャック５２からビープ音または呼び出し音を出力する。
【０１１６】
リアルタイムクロック（RTC）１５３は、現在時刻をカウントするクロックであり、現在時刻を、オーディオ信号処理モジュール１５２に供給する。
【０１１７】
大容量フラッシュメモリ１５４は、例えば、１ＧＢ乃至数ＧＢなど、大きな記憶容量を有するフラッシュメモリであり、オーディオプロセッサ１３２から供給された情報を記憶する。なお、大容量フラッシュメモリ１５４には、オーディオプロセッサ１３２を介して供給された、アプリケーションプロセッサ１３１の処理により生成または取得された情報も記憶される。
【０１１８】
大容量フラッシュメモリ１５４には、例えば、オーディオプロセッサ１３２の処理により再生可能な楽曲データなどのコンテンツデータ、各種アプリケーションプログラムによって生成されたデータ、例えば、インスタントメッセンジャー、IP電話、チャット、電子メールなどのツールを用いて他のユーザと情報を授受する場合に用いられる、他のユーザの登録情報などが記憶されている。
【０１１９】
フラッシュメモリ１５６は、例えば、６４MB程度の記憶容量を有しており、オーディオプロセッサ１３２において実行されるプログラムや、プログラムの実行に必要な情報や各種変数が設定されたレジスタなど、電源供給停止後も消去されない情報を記憶する。
【０１２０】
メモリ１５７は、例えば、SDRAMなどで構成され、６４MB程度の記憶容量を有しており、オーディオプロセッサ１３２において実行される処理に必要な情報を記憶する。
【０１２１】
また、USBコネクタ５１には、例えば、USBケーブルを介して、例えば、図１を用いて説明したように、パーソナルコンピュータ１３などの他の装置が接続される。また、USBコネクタ５１には、必要に応じて、ドライブ１７１が接続され、磁気ディスク、光ディスク、光磁気ディスク、または、半導体メモリなどよりなるリムーバブルメディア１７２が適宜装着され、それらから読み出されたコンピュータプログラムが、必要に応じてフラッシュメモリ１４６またはフラッシュメモリ１５６にインストールされて、実行可能なようになされている。
【０１２２】
USBコネクタ５１を介して、例えば、パーソナルコンピュータ１３などから供給された信号は、オーディオプロセッサ１３２に供給され、必要に応じて、アプリケーションプロセッサ１３１に供給される。また、オーディオプロセッサ１３２は、USBコネクタ５１を介して、例えば、パーソナルコンピュータ１３などに所定の信号を出力する。
【０１２３】
また、USB接続により供給されるDC電源またはDCジャック５３を介して供給されるDC電源、もしくは、情報通信端末１に装着されたバッテリ１６０から供給されるDC電源は、電源制御部１６１により、情報通信端末１の各部に供給される。
【０１２４】
次に、図１３は、アプリケーションプロセッサ１３１において実行されるソフトウェアの構成を示すソフトウェアスタックである。
【０１２５】
図１３に示されるように、アプリケーションプロセッサ１３１において実行されるソフトウェアの構成は、下位側から、ハードウェア層、デバイスドライバ層、ＯＳ層、ミドルウェア層、および、アプリケーション層が規定されている。
【０１２６】
デバイスドライバ層は、アプリケーションプロセッサ１３１と、アプリケーションプロセッサ１３１に接続されているハードウェアを動作させるための専用ソフトウェアであり、具体的には、無線通信モジュール１４８を動作させるためのデバイスドライバ（ＷＬＡＮ）、表示部２１に画像を表示させるための表示モジュール１４２に含まれるＬＣＤを動作させるためのＬＣＤドライバ（ＬＣＤ）、キーボードモジュール１４９を動作させるためのキーボードドライバ（ＫＥＹ）、アプリケーションプロセッサ１３１の汎用ポートを動作させるためのデバイスドライバ（ＧＰＩＯ）、発光モジュール１４４の、WLAN状態通知発光部３１、電源状態通知発光部３２、および、通信状態通知発光部３４のそれぞれに含まれる発光素子を動作させるためのドライバ（ＬＥＤ）が含まれている。
【０１２７】
また、デバイスドライバ層には、さらに、その他のデバイスドライバ（Ｏｔｈｅｒ）として、例えば、バックライトドライバ１４３を動作させるためのドライバ、各種のメモリドライバ、オーディオ変換モジュール１４５を動作させるためのデバイスドライバ、情報通信端末１がマウスなどの入力デバイスを有している場合には、そのマウスを動作させるためのマウスドライバ、情報通信端末１が情報を記憶するためにハードディスクを内部に有している場合には、ハードディスクを駆動するためのハードディスクドライバ、情報通信端末１が外部のプリンタと接続されており、プリンタに情報を出力して印刷することができるようになされている場合には、そのプリンタを駆動するためのプリンタドライバなど、必要なデバイスドライバが、適宜、含まれる。
【０１２８】
次に、ＯＳ層には、アプリケーションプロセッサ１３１の基本的な動作を制御するオペレーティングシステム（ＯＳ）がインストールされている。ＯＳは、デバイスドライバによって動作される各種資源を管理するものであり、例えば、後述するミドルウェア層、または、アプリケーション層において実行されるいずれかのアプリケーションプログラムが発生した命令をデバイスドライバに伝えたり、フラッシュメモリ１４６やメモリ１４７、または、オーディオプロセッサ１３２とのデータの入出力、もしくは、キー入力や画面出力といった入出力機能の管理など、多くのアプリケーションソフトから共通して利用される基本的な機能を提供し、システム全体を管理する。ＯＳには、例えば、Windows（登録商標）95（商標）、Windows（登録商標）98（商標）、Windows（登録商標）NT（商標）、LINUX，OS/2（商標）などがある。また、ＯＳは、後述するアプリケーション層において実行されるいずれかのアプリケーションプログラムの実行コンテキスト（あるアプリケーションプログラムが利用しているレジスタセットやメインメモリイメージ、ファイルハンドルなど）などのソフトウェア資源の一部の管理も行うようになされている。
【０１２９】
ミドルウェア層は、ＯＳ上で動作し、アプリケーションソフトに対してＯＳよりも高度で具体的な機能を提供するソフトウェアであるミドルウェアで構成されている。
【０１３０】
ミドルウェアは、ＯＳとアプリケーションソフトウェアの中間的な性格を有するものである。多くのアプリケーションソフトウェアで共通して利用される機能を個別に開発するのは非効率であるため、多くのアプリケーションソフトウェアで共通して利用される機能（多くの場合は、基本的な機能）が、ミドルウェアとして提供される。
【０１３１】
ここでは、ミドルウェアとして、ＩＰ電話などのコミュニケーションアプリケーションの基本的な機能を提供するためのコミュニケーションエンジン、インターネットやイントラネットなどのTCP/IPネットワークを使って音声データを送受信する技術の基本的な機能を提供するためのVoIP（Voice over IP）エンジン、インスタントメッセンジャーの基本的な機能を提供するためのインスタントメッセンジャーエンジン、デジタルデータの著作権を保護するために、データに暗号化などを施す機能を実現するための、DRM（Digital Rights Management）プロトコルに加えて、各種アプリケーションプログラムの実行に伴って表示部２１に表示されるＧＵＩの部品などの集まりである、グラフィックライブラリなどが用意されている。
【０１３２】
グラフィックライブラリは、アプリケーション層において実行される各種のアプリケーションプログラムの画像処理において使用される汎用性のある関数やデータの集まりである。具体的には、画像処理において使用される汎用性のあるいくつかの関数を書庫のようにまとめ、ソフトウェアの実行に必要な機能を独立したファイルとして共通化したものである。グラフィックライブラリは、一般的には、アプリケーションプログラムとは別に実行時にロードされるものとして、アプリケーションプログラムのサブルーチンと区別される。
【０１３３】
そして、最上位層のアプリケーション層においては、各種のアプリケーションプログラムが実行される。情報通信端末１においては、例えば、コミュニケーションアプリケーション、ウェブブラウザ、ファイル交換アプリケーション、パーソナルコンピュータ接続アプリケーション、オーディオプレイヤ、楽曲検索アプリケーション、ミュージックストリーミング、インスタントメッセンジャー、録音ツール、フォトビューア（Photo Viewer）、テキストエディタ（Text Editor）などの個別のアプリケーション、ＷＬＡＮ、メニュー表示ツール、セッティングツール、ステータスバー表示ツール、ＦＥＰ(Front End Processor)などのユーティリティーに加えて、これらのアプリケーションソフトウェアを管理するアプリケーションマネージャと、開発環境が用意されている。
【０１３４】
コミュニケーションアプリケーションは、コミュニケーションエンジンやＶｏＩＰエンジンを利用して、いわゆるＩＰ電話機能やボイスチャットなど、他の装置（を利用している他のユーザ）とのコミュニケーションを提供するためのものである。
【０１３５】
ウェブブラウザは、ネットワークを介して、Webページを閲覧するためのアプリケーションであり、具体的には、ネットワークを介して、HTMLファイルや画像ファイル、音楽ファイルなどをダウンロードし、レイアウトを解析して表示・再生する機能を実行する機能や、表示されたフォームを使用してユーザがデータをWebサーバに送信したり、Java（登録商標）やFlash、およびJava（登録商標）などで記述されたアプリケーションソフトを動作させる機能を実現する。
【０１３６】
ファイル交換アプリケーションは、ネットワークを通じて、または、直接接続された他の装置とデータファイルを送受信するファイルトランスファー機能を提供するためのものである。パーソナルコンピュータ接続アプリケーションは、パーソナルコンピュータ１３と接続して、情報を授受する機能を提供するためのものである。
【０１３７】
オーディオプレイヤは、楽曲データを再生する機能を提供するものである。楽曲検索アプリケーションは、内部に記憶されている楽曲データをデータベース化し、ユーザが所望する楽曲データを検索する機能を提供するためのものである。また、ミュージックストリーミングは、他の装置と楽曲データを授受してストリーミング再生を行う機能を提供するものである。
【０１３８】
インスタントメッセンジャーアプリケーションは、インターネットやＬＡＮなどのネットワーク上で同じソフトを利用している仲間がオンラインかどうかを調べ、オンラインであればチャットやファイル転送などを行うためのものである。
【０１３９】
録音ツールは、いわゆるボイスメモなどのように、マイク２９によって集音された音声データを記録し、再生する機能を提供するためのものである。フォトビューアは、内部に記録されている画像データ（写真データ）を管理し、例えば、サムネイル画像の一覧表示やスライドショー表示などの各種の表示方法での再生表示を制御するものである。テキストエディタは、キーボード７１などによるユーザの操作入力に基づいて、テキストデータの作成機能を提供するものである。
【０１４０】
また、個別アプリケーションとしては、これ以外にも、例えば、表計算ソフト、データベース作成ソフト、電子メールアプリケーション、各種ゲームなどを、適宜インストールすることが可能である。
【０１４１】
また、ＷＬＡＮは、例えば、802.11bの規格に対応したＷＬＡＮの機能を実現するためのものであり、メニュー表示ツールは、表示部２１に表示されるメニュー画面や待ち受け画面などの表示を制御するためのものである。セッティングツールは、ユーザの操作入力に基づいて、情報通信端末１の各種機能を設定するためのものであり、ステータスバー表示ツールは、図１０および図１１を用いて説明した常時表示パネルに各種情報を表示させるためのものである。また、ＦＥＰは、日本語を入力するために用いられる、かな漢字変換ソフトウェアである。
【０１４２】
次に、図１４は、オーディオプロセッサ１３２において実行されるソフトウェアの構成を示すソフトウェアスタックである。
【０１４３】
まず、デバイスドライバ層は、オーディオプロセッサ１３２と、オーディオプロセッサ１３２に接続されているハードウェアを動作させるための専用ソフトウェアで構成されており、具体的には、USB接続およびUSBストリーミング機能を実現するためのドライバソフトであるＵＳＢドライバ、オーディオプロセッサ１３２に接続されている大容量フラッシュメモリ１５４を動作させるためのフラッシュメモリドライバ、オーディオ信号処理モジュール１５２を動作させるためのオーディオドライバ、および、入力モジュール１５０のうち、特に、オーディオプロセッサ１３２が実行する処理に関する操作入力を行うミュージックキー５２などを動作させるためのキードライバで構成されている。
【０１４４】
また、デバイスドライバ層には、さらに、その他のデバイスドライバとして、例えば、大容量フラッシュメモリ１５４以外のメモリを動作させるためのメモリドライバ、アプリケーションプロセッサ１３１の汎用ポートを動作させるためのデバイスドライバ（ＧＰＩＯ）など、必要なデバイスドライバが、適宜、含まれる。
【０１４５】
ＯＳは、オーディオプロセッサ１３２の基本的な動作を制御しているものである。ＯＳには、例えば、uITRONなどの、組込みシステム向けのリアルタイムＯＳが用いられると好適である。
【０１４６】
そして、ＯＳ上で、各種アプリケーションが動作する。
【０１４７】
情報通信端末１は、USB接続に際して、MSC（Mass Storage Class）とMTP（Media Transfer Protocol）との２つのUSB Modeの切り替えを行うことができる。
【０１４８】
ＭＳＣ（Mass Storage Class）は、接続されたUSB機器（ここでは、パーソナルコンピュータ１３に対する情報通信端末１）を記憶装置として認識し制御する機能を提供するためのものである。すなわち、情報通信端末１は、USBマスストレージクラス対応のインターフェイスを採用しているので、パーソナルコンピュータ１３のOSからはドライブとして認識される。これにより、パーソナルコンピュータ１３から情報通信端末１の内部に記録されているデータ（例えば、画像データや楽曲データなど）を、専用アプリケーションのみならず、例えば、エクスプローラなどのアプリケーションから読み出すことができる。
【０１４９】
ＭＴＰ（Media Transfer Protocol）は、情報通信端末１と、パーソナルコンピュータ１３とを接続し、楽曲データ、動画像データ、または、静止画データを双方向に転送するプロトコルである。MTPはUSBマスストレージクラスを含む、あらゆるストレージデバイスとの通信レイヤの上で動作し、著作権保護フラグ付きのコンテンツを安全に転送できる。
【０１５０】
ファイルシステムは、オーディオプロセッサ１３２に接続されている大容量フラッシュメモリ１５４などに記録されているファイルを管理する。ファイルシステムによって管理されているファイルのうち、楽曲データファイルは、楽曲ＤＢ（Data Base）によってデータベース化され、DRM（Digital Rights Management） Lib.（Library）によって著作権保護されている。
【０１５１】
DRM Lib.は、デジタルデータの著作権を保護するために、音楽・動画・画像などのデジタル・コンテンツに対し、暗号化などを施して不正コピーや流出を防止する機能を実現するための、各種のアプリケーションプログラムにおいて使用される汎用性のある関数やデータの集まりである。
【０１５２】
また、オーディオプロセッサ１３２に接続されている大容量フラッシュメモリ１５４などに記録されている楽曲データなどは、例えば、ＭＰ３（MPEG Audio Layer-3），ATRAC(Adaptive TRansform Acoustic Coding)３、ＷＭＡ（Windows（登録商標） Media Audio）、ＡＳＦ（Advanced Streaming Format）などの圧縮形式で圧縮されるので、それぞれの方式に基づいたオーディオコーディックによって、楽曲データなどが圧縮伸張されるようになされている。
【０１５３】
そして、オーディオプレイヤは、アプリケーションプロセッサインターフェースを介して供給される、アプリケーションプロセッサ１３１上で動作する各種ソフトウェアの制御信号に基づいて、DRM Lib.によって著作権保護され、楽曲ＤＢによって管理されている楽曲データを、オーディオコーディックによって所定の方式で圧縮伸張し、再生出力する処理を制御する。
【０１５４】
システム（Ｓｙｓｔｅｍ）コントローラは、オーディオプロセッサ１３２により実現される、上述した各種機能を制御するものである。
【０１５５】
アプリケーションプロセッサインターフェースは、アプリケーションプロセッサ１３１とオーディオプロセッサ１３２とにおける各種情報および制御信号の授受を制御する機能を提供するものである。
【０１５６】
次に、表示部２１に表示される表示画面を参照して、情報通信端末１において実行される各種アプリケーションプログラムにおける具体的な実行例について説明する。
【０１５７】
情報通信端末１において実行される各種アプリケーションプログラムには、例えば、音声データを再生するオーディオプレイヤをはじめとして、録音ツール（いわゆるボイスメモ）、フォトビューア、または、テキストエディタなどの、他の装置との通信処理を利用しないものと、ネットワークを通じて、他の装置とデータファイルを送受信するファイル交換アプリケーション、ネットワークを通じて、他の装置に映像や音声などのマルチメディアデータを送信したり、これらのマルチメディアデータを受信しながら同時に再生を行うミュージックストリーミング、IP電話などの機能を提供するコミュニケーションアプリケーション、チャットなどの機能を提供するインスタントメッセンジャー、ウェブページを閲覧するためのウェブブラウザなど、他の装置との通信処理を利用するものとがある。
【０１５８】
また、複数の機能を含むアプリケーションプログラムも存在する。例えば、音声データ（例えば、特に楽曲データ）や、静止画像または動画像データなどを、内部に記録したり、記録されたデータを整理してデータベースを構築したり、データを他の装置と授受したり、内部に記録されたデータやストリーミングされたデータを再生する処理など、他の装置との通信処理を必要としない処理と必要とする処理の両方を含むアプリケーションプログラムも存在する。
【０１５９】
図１５は、情報通信端末１の表示部２１において、例えば、電源投入後すぐに、または、ＨＯＭＥボタン２３が押下された場合に表示されるHome画面４５１の表示例を示す図である。Home画面４５１には、情報通信端末１において実行可能なアプリケーションプログラム（または複数のアプリケーションプログラムにより構成される項目）の一覧がメニュー表示されている。図１５のHome画面４５１においては、待ち受け画面（Screen Standby）４６１、コミュニケーションアプリケーション（Communication）４６２、音楽ツール（Music）４６３、ウェブブラウザ（WEB Browser）４６４、フォトビューア（Photo Viewer）４６５、テキストエディタ（Text Editor）４６６、録音ツール（Voice Memo）４６７、および、各種設定（Tools）４６８が選択可能な状態として表示されている。情報通信端末１において実行可能なアプリケーションプログラムがHome画面４５１の１画面内に表示しきれない場合、ユーザが、４方向キー２６のUPキーまたはDOWNキーを操作することにより、メニュー一覧がスクロールされ、すべてのアプリケーションが表示されるようになされている。ユーザは、Home画面４５１を表示部２１に表示させて、メニュー表示されたいずれかのアプリケーションプログラムを選択して起動させることができる。
【０１６０】
なお、ユーザによるメニューの選択決定の方法としては、例えば、ユーザが４方向キー２６のUPキーまたはDOWNキーを操作することにより、選択されている（カーソルが当たっている）メニューの位置が変更されて（カーソル位置が最も上の位置にある状態で、UPキーが押下された場合、または、カーソル位置が最も下の位置にある状態で、DOWNキーが押下された場合にのみ、メニュー一覧の表示がスクロールされる）、ユーザが所望のアプリケーションメニューにカーソル位置を合わせて決定ボタン２７を押下することにより、所望のアプリケーションを選択決定する（例えば、起動を命令する）ことができるものであってもよいし、また、ユーザが４方向キー２６のUPキーまたはDOWNキーを操作することにより、メニュー一覧全体が移動し、所定の位置（例えば、上から３番目）に表示されているメニューが常に選択状態となるものとし、ユーザが、所望のアプリケーションメニューを所定の位置（例えば、上から３番目）に移動して決定ボタン２７を押下することにより、所望のアプリケーションを選択決定する（例えば、起動を命令する）ことができるものであってもよい。
【０１６１】
次に、通信状態通知発光部３４の詳細について説明する。
【０１６２】
図１６は、通信状態通知発光部３４の発光素子８４の模式的な等価回路を示している。同図に示されるように、通信状態通知発光部３４の発光素子８４は、発光素子ドライバ５０１、Blue LED５０２，Orange LED５０４、および、スイッチ５０３，５０５で構成されている。
【０１６３】
発光素子ドライバ５０１のスイッチ５１１の一方の端子は、バッテリ１６０に接続され、他方の端子は、定電流源５１２に接続されている。発光素子ドライバ５０１のスイッチ５１１は、アプリケーションプロセッサ１３１によるオンまたはオフのPWM（Pulse Width Modulation）制御に基づいてスイッチングし、オンされたとき、バッテリ１６０から供給されるDC電源を定電流源５１２に出力する。定電流源５１２は、バッテリ１６０からスイッチ５１１を介して供給されたDC電源を一定レベルの出力電圧に制御し、Blue LED５０２およびOrange LED５０４に供給する。
【０１６４】
Blue LED５０２はスイッチ５０３を介してグランドに接地され、Orange LED５０４はスイッチ５０５を介してグランドに接地されている。スイッチ５０３およびスイッチ５０５は、アプリケーションプロセッサ１３１によるオンまたはオフの制御に基づいてスイッチングする。スイッチ５０３がオンされたとき、Blue LED５０２は、定電流源５１２の駆動により青色に発光したり、発光輝度を変化させたりする。スイッチ５０５がオンされたとき、Orange LED５０４は、定電流源５１２の駆動によりオレンジ色に発光したり、発光輝度を変化させたりする。
【０１６５】
すなわち、発光時、アプリケーションプロセッサ１３１は、Blue LED５０２およびOrange LED５０４を点灯または点滅させるように制御するだけでなく、情報通信端末１の動作状態（動作モード）に応じて発光輝度を徐々に変化させるように制御する。これにより、通信状態通知発光部３４は、導光管８５の光の反射により、青色、緑色、オレンジ色と徐々に変化させながら発光することができる。
【０１６６】
図１７は、通信状態通知発光部３４の機能構成例を示すブロック図である。図１７に示す機能部のうちの少なくとも一部は、図１２のアプリケーションプロセッサ１３１により所定のプログラムが実行されることによって実現される。
【０１６７】
図１７に示されるように、通信状態通知発光部３４においては、検出部５２１、制御部５２２、調光部５２３、および発光部５２４が実現される。
【０１６８】
検出部５２１は、情報通信端末１の動作状態を検出する。ここで検出される動作状態には、例えば、データ送信、データ受信、VoIP発信（VoIPエンジンを利用したＩＰ電話やボイスチャットなどの発信）、VoIP着信などが挙げられるが、勿論これに限られるものではない。
【０１６９】
制御部５２２は、検出部５２１により検出された情報通信端末１の動作状態に応じて調光部５２３を制御する。
【０１７０】
調光部５２３は、制御部５２２の制御の下、発光部５２４を所定の色および輝度で発光するように調光したり、発光輝度を徐々に明るくするように調光したり、または発光輝度を徐々に暗くするように調光したりする。その詳細は、図１８乃至図２５を参照して後述する。
【０１７１】
発光部５２４は、Blue LED５０２およびOrange LED５０４などで構成され、調光部５２３により調光される。
【０１７２】
図１８乃至図２５は、情報通信端末１の動作状態に応じて発光部５２４の発光輝度を調光する例を示す図である。図１８乃至図２５のそれぞれにおいて、縦軸は輝度を表し、横軸は時間を表している。
【０１７３】
図１８は、情報通信端末１の動作状態がデータ送信時であると検出された場合の発光部５２４の発光輝度を調光する例を示している。
【０１７４】
検出部５２１により情報通信端末１がデータ送信時であると検出された場合、制御部５２２は、その動作状態に応じて、発光輝度を徐々に明るくし、それが周期Ｔ1毎に繰り返されるように調光部５２３を制御する。
【０１７５】
調光部５２３は、制御部５２２の制御の下、発光輝度を徐々に明るくし、それが周期Ｔ1毎に繰り返されるように発光部５２４を調光する。
【０１７６】
図１９は、情報通信端末１の動作状態がデータ受信時であると検出された場合の発光部５２４の発光輝度を調光する例を示している。
【０１７７】
検出部５２１により情報通信端末１がデータ受信時であると検出された場合、制御部５２２は、その動作状態に応じて、発光輝度を徐々に暗くし、それが周期Ｔ2毎に繰り返されるように調光部５２３を制御する。
【０１７８】
調光部５２３は、制御部５２２の制御の下、発光輝度を徐々に暗くし、それが周期Ｔ2毎に繰り返されるように発光部５２４を調光する。
【０１７９】
図２０は、情報通信端末１の動作状態がデータ送信時であると検出された場合の発光部５２４の発光輝度を調光する他の例を示している。
【０１８０】
検出部５２１により情報通信端末１がデータ送信時であると検出された場合、制御部５２２は、その動作状態に応じて、デューティサイクルＤｕｔｙ1に発光輝度を徐々に明るくし、それが周期Ｔ3毎に繰り返されるように調光部５２３を制御する。
【０１８１】
調光部５２３は、制御部５２２の制御の下、デューティサイクルＤｕｔｙ1に発光輝度を徐々に明るくし、それが周期Ｔ3毎に繰り返されるように発光部５２４を調光する。
【０１８２】
図２１は、情報通信端末１の動作状態がデータ受信時であると検出された場合の発光部５２４の発光輝度を調光する他の例を示している。
【０１８３】
検出部５２１により情報通信端末１がデータ受信時であると検出された場合、制御部５２２は、その動作状態に応じて、デューティサイクルＤｕｔｙ2に発光輝度を徐々に暗くし、それが周期Ｔ4毎に繰り返されるように調光部５２３を制御する。
【０１８４】
調光部５２３は、制御部５２２の制御の下、デューティサイクルＤｕｔｙ2に発光輝度を徐々に暗くし、それが周期Ｔ4毎に繰り返されるように発光部５２４を調光する。
【０１８５】
図２２は、情報通信端末１の動作状態がVoIP着信時であると検出された場合の発光部５２４の発光輝度を調光する例を示している。
【０１８６】
検出部５２１により情報通信端末１がVoIP着信時であると検出された場合、制御部５２２は、その動作状態に応じて、周期Ｔ11、周期Ｔ12、周期Ｔ13、周期Ｔ14・・・と点滅周期が徐々に長くなるように調光部５２３を制御する。
【０１８７】
調光部５２３は、制御部５２２の制御の下、周期Ｔ11、周期Ｔ12、周期Ｔ13、周期Ｔ14・・・と点滅周期が徐々に長くなるように発光部５２４を調光する。
【０１８８】
図２３は、情報通信端末１の動作状態がVoIP発信時であると検出された場合の発光部５２４の発光輝度を調光する例を示している。
【０１８９】
検出部５２１により情報通信端末１がVoIP発信時であると検出された場合、制御部５２２は、その動作状態に応じて、周期Ｔ21、周期Ｔ22、周期Ｔ23・・・と点滅周期が徐々に短くなるように調光部５２３を制御する。
【０１９０】
調光部５２３は、制御部５２２の制御の下、周期Ｔ21、周期Ｔ22、周期Ｔ23・・・と点滅周期が徐々に短くなるように発光部５２４を調光する。
【０１９１】
図２４は、情報通信端末１の動作状態がVoIP着信時であると検出された場合の発光部５２４の発光輝度を調光する他の例を示している。
【０１９２】
検出部５２１により情報通信端末１がVoIP着信時であると検出された場合、制御部５２２は、その動作状態に応じて、デューティサイクルDuty11、Duty12、Duty13、Duty14に発光輝度を徐々に明るくし、それが周期Ｔ31、周期Ｔ32、周期Ｔ33、周期Ｔ34・・・と点滅周期が徐々に長くなるように調光部５２３を制御する。
【０１９３】
調光部５２３は、制御部５２２の制御の下、デューティサイクルDuty11、Duty12、Duty13、Duty14に発光輝度を徐々に明るくし、それが周期Ｔ31、周期Ｔ32、周期Ｔ33、周期Ｔ34・・・と点滅周期が徐々に長くなるように発光部５２４を調光する。
【０１９４】
図２５は、情報通信端末１の動作状態がVoIP発信時であると検出された場合の発光部５２４の発光輝度を調光する他の例を示している。
【０１９５】
検出部５２１により情報通信端末１がVoIP発信時であると検出された場合、制御部５２２は、その動作状態に応じて、デューティサイクルDuty21、Duty22、Duty23、Duty24に発光輝度を徐々に暗くし、それが周期Ｔ41、周期Ｔ42、周期Ｔ43、周期Ｔ44・・・と点滅周期が徐々に短くなるように調光部５２３を制御する。
【０１９６】
調光部５２３は、制御部５２２の制御の下、デューティサイクルDuty21、Duty22、Duty23、Duty24に発光輝度を徐々に暗くし、それが周期Ｔ41、周期Ｔ42、周期Ｔ43、周期Ｔ44・・・と点滅周期が徐々に短くなるように発光部５２４を調光する。
【０１９７】
以上のようにして、発光部５２４の発光輝度を徐々に明るくしたり、発光輝度を徐々に暗くしたり、点滅周期または点灯周期を徐々に長くしたり、あるいは点滅周期または点灯周期を徐々に短くしたり、さらには、発光色を変えたりすることにより、情報通信端末１の動作状態（通信状態）をよりわかりやすい光表現でユーザに認知させることができる。つまりユーザは、いまの動作状態を知るために画面を見なくとも、この光表現によって容易に動作状態を確認することが可能になる。またこの光表現によって、遠方にいるユーザからでも容易に動作状態を確認することが可能となる。
【０１９８】
なお、図１８乃至図２５は、あくまで発光輝度を調光する一例であり、情報通信端末１の動作状態（通信状態）を所定の光表現（または色など）と同期（連携）させることができれば、これに限られるものではない。すなわち、デューティサイクルＤｕｔｙ、周期Ｔ、輝度傾斜およびその線形性は可変にすることが可能である。また、図２２および図２４に示したように点滅周期が徐々に長くなる場合、矩形波制御の代わりに半波方式等の制御を行うようにしてもよい。
【０１９９】
さらに、以上のような発光パターンを動作状態に対応付けて記憶させておくようにしてもよい。
【０２００】
次に、図２６のフローチャートを参照して、ファイルトランスファー機能による受信処理について説明する。
【０２０１】
ステップＳ１において、無線通信モジュール１４８は、ネットワーク１１を通じて、または、直接接続された他の装置からデータファイルを受信したか否かを判定し、データファイルを受信したと判定するまで処理を繰り返す。
【０２０２】
そして、ステップＳ１において、データファイルを受信したと判定された場合、検出部５２１は、情報通信端末１がデータファイル受信時であることを検出する。ステップＳ２において、制御部５２２は、検出部５２１による検出結果に基づいて受信時点灯処理を行う。受信時点灯処理の詳細については後述するが、この処理により、通信状態通知発光部３４が、所定の周期、かつ、あらかじめ決められた発光パターンで発光される。
【０２０３】
ステップＳ３において、無線通信モジュール１４８は、ネットワーク１１を通じて、または、直接接続された他の装置から送信されてきたデータファイルを受信する。ステップＳ４において、無線通信モジュール１４８は、データファイルの受信が終了したか否かを判定し、まだデータファイルの受信が終了していないと判定した場合、ステップＳ３に戻り、上述した処理を繰り返す。
【０２０４】
そして、ステップＳ４において、データファイルの受信が終了したと判定された場合、検出部５２１は、情報通信端末１がデータファイルの受信を終了したことを検出し、ステップＳ５に進む。
【０２０５】
ステップＳ５において、制御部５２３は、検出部５２１による検出結果に基づいて、ファイルトランスファー機能によるデータファイル受信時の消灯処理を行ない、このファイルトランスファー機能による受信処理を終了する。
【０２０６】
次に、図２７のフローチャートを参照して、図２６のステップＳ２において行われる受信時点灯処理について説明する。この処理は、図２４に示したように、所定のデューティサイクルに発光輝度を徐々に明るくするような調光が行われる。
【０２０７】
制御部５２２は、ステップＳ１１において発光素子用PWM Duty値を設定し、ステップＳ１２においてタイマ値を設定する。図２４に示した例では、発光素子用PWM Duty値がDuty11に設定され、タイマ値がＴ31に設定される。ステップＳ１３において、制御部５２２は、設定されたタイマ値に基づいて、タイマをスタートさせる。またこのとき、制御部５２２は、発光部５２４の発光輝度を徐々に明るくするようにPWM制御する。
【０２０８】
ステップＳ１４において、制御部５２２は、タイマが終了したか否か、すなわちステップＳ１２の処理で設定したタイマ値に到達したか否かを判定し、まだタイマが終了していないと判定した場合、ステップＳ１４の処理を繰り返し実行する。
【０２０９】
ステップＳ１４において、タイマが終了したと判定された場合、ステップＳ１５に進み、制御部５２２は、点灯処理が終了したか否かを判定し、まだ点灯処理が終了していないと判定した場合、ステップＳ１６に進む。
【０２１０】
ステップＳ１６において、制御部５２２は、発光素子用PWM Duty値を変更し、ステップＳ１７において、タイマ値を変更する。図２４に示した例では、発光素子用PWM Duty値がDuty12に設定され、タイマ値がＴ32に設定される。その後、処理はステップＳ１４に戻り、上述した処理が繰り返される。
【０２１１】
ステップＳ１５において、点灯処理が終了したと判定された場合、図２６のステップＳ３に戻り、それ以降の処理が行われる。
【０２１２】
以上の処理が行われることによって、ファイルトランスファー機能によるデータファイルの受信時に、所定の発光パターンで発光されることになる。
【０２１３】
次に、図２８のフローチャートを参照して、ファイルトランスファー機能による送信処理について説明する。
【０２１４】
ステップＳ３１において、無線通信モジュール１４８は、ネットワーク１１を通じて、または、直接接続された他の装置に対してデータファイルの送信を開始したか否かを判定し、データファイルの送信を開始したと判定するまで処理を繰り返す。
【０２１５】
ステップＳ３１において、データファイルの送信を開始したと判定された場合、検出部５２１は、情報通信端末１がデータファイル送信時であることを検出する。ステップＳ３２において、制御部５２２は、検出部５２１による検出結果に基づいて送信時点灯処理を行う。送信時点灯処理の詳細については後述するが、この処理により、通信状態通知発光部３４が、所定の周期、かつ、あらかじめ決められた発光パターンで発光される。
【０２１６】
ステップＳ３３において、無線通信モジュール１４８は、ネットワーク１１を通じて、または、直接接続された他の装置に対してデータファイルを送信する。ステップＳ３４において、無線通信モジュール１４８は、データファイルの送信を終了したか否かを判定し、まだデータファイルの送信を終了していないと判定した場合、ステップＳ３３に戻り、上述した処理を繰り返す。
【０２１７】
そして、ステップＳ３４において、データファイルの送信を終了したと判定された場合、検出部５２１は、情報通信端末１がデータファイルの送信を終了したことを検出し、ステップＳ３５に進む。
【０２１８】
ステップＳ３５において、制御部５２３は、検出部５２１による検出結果に基づいて、ファイルトランスファー機能によるデータファイル送信時の消灯処理を行ない、このファイルトランスファー機能による送信処理を終了する。
【０２１９】
次に、図２７のフローチャートを再び参照して、図２８のステップＳ３２において行われる送信時点灯処理について説明する。この処理は、図２５に示したように、所定のデューティサイクルに発光輝度を徐々に暗くするような調光が行われる。
【０２２０】
制御部５２２は、ステップＳ１１において発光素子用PWM Duty値を設定し、ステップＳ１２においてタイマ値を設定する。図２５に示した例では、発光素子用PWM Duty値がDuty21に設定され、タイマ値がＴ41に設定される。ステップＳ１３において、制御部５２２は、設定されたタイマ値に基づいて、タイマをスタートさせる。またこのとき、制御部５２２は、発光部５２４の発光輝度を徐々に暗くするようにPWM制御する。
【０２２１】
ステップＳ１４において、制御部５２２は、タイマが終了したか否か、すなわちステップＳ１２の処理で設定したタイマ値に到達したか否かを判定し、まだタイマが終了していないと判定した場合、ステップＳ１４の処理を繰り返し実行する。
【０２２２】
ステップＳ１４において、タイマが終了したと判定された場合、ステップＳ１５に進み、制御部５２２は、点灯処理が終了したか否かを判定し、まだ点灯処理が終了していないと判定した場合、ステップＳ１６に進む。
【０２２３】
ステップＳ１６において、制御部５２２は、発光素子用PWM Duty値を変更し、ステップＳ１７において、タイマ値を変更する。図２５に示した例では、発光素子用PWM Duty値がDuty22に設定され、タイマ値がＴ42に設定される。その後、処理はステップＳ１４に戻り、上述した処理が繰り返される。
【０２２４】
ステップＳ１５において、点灯処理が終了したと判定された場合、図２８のステップＳ３３に戻り、それ以降の処理が行われる。
【０２２５】
以上の処理が行われることによって、ファイルトランスファー機能によるデータファイルの送信時に、所定の発光パターンで発光されることになる。
【０２２６】
このように、本発明を適用することにより、情報通信端末１は、通信状態に応じた発光パターンで発光することができ、よりわかりやすい光表現でユーザに通信状態を認知させることができる。つまりユーザは、いまの動作状態を知るために画面を見なくとも、この光表現によって容易に動作状態を確認することが可能になる。またこの光表現によって、遠方にいるユーザからでも容易に動作状態を確認することが可能となる。
【０２２７】
また、導光菅８５によって効率的に発光素子８４の光を導くことにより、大きな面積を光らせることができるため、１つの発光素子８４のみでも大きな面積での輝度変化を実現することができる。そのため、LEDの輝度の増減が認識しやすく、単体のLEDのみの輝度変化に比べて動作状態を認識しやすくなる。
【０２２８】
上述した一連の処理は、ソフトウェアにより実行することも、上述した一連の処理を実行するように組み込まれたハードウェアを用いて実行することもできる。そのソフトウェアは、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０２２９】
この記録媒体は、図１２に示すように、コンピュータとは別に、ユーザにプログラムを提供するために配布される、プログラムが記録されている磁気ディスク（フレキシブルディスクを含む）、光ディスク（CD-ROM（Compact Disk-Read Only Memory），DVD（Digital Versatile Disk）を含む）、光磁気ディスク（ＭＤ(Mini-Disk)（商標）を含む）、もしくは半導体メモリなどよりなるリムーバブルメディア１７２などにより構成される。
【０２３０】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２３１】
なお、本明細書において、システムとは、複数の装置により構成される装置全体を表すものである。
【０２３２】
なお、本発明の実施の形態は、上述した実施の形態に限定されるものではなく、本発明の要旨を逸脱しない範囲において種々の変更が可能である。
【図面の簡単な説明】
【０２３３】
【図１】本発明を適用した情報通信端末を含む情報通信システムについて説明するための図である。
【図２】情報通信端末の正面外形図である。
【図３】情報通信端末の、裏側（表示部の設けられていない側）の外形図である。
【図４】情報通信端末の、上側側面（WLAN ON/OFFスイッチが設けられている側）の外形図である。
【図５】情報通信端末の表示部が設けられている側から向かって右側面（通信状態通知発光部３４が設けられている側）の外形図である。
【図６】情報通信端末の表示部が設けられている側から向かって左側面（WLAN ON/OFFスイッチおよび電源スイッチが設けられている側）の外形図である。
【図７】情報通信端末の、下側側面（電源スイッチやミュージックキーが設けられている側）の外形図である。
【図８】筐体がスライドされた場合の外観図である。
【図９】情報通信端末のキーボードの内側の外形図である。
【図１０】常時表示パネルについて説明するための図である。
【図１１】常時表示パネルに表示される情報について説明するための図である。
【図１２】情報通信端末の内部構成例を示すブロック図である。
【図１３】アプリケーションプロセッサにおいて実行されるソフトウェアの構成を示すソフトウェアスタック図である。
【図１４】オーディオプロセッサにおいて実行されるソフトウェアの構成を示すソフトウェアスタック図である。
【図１５】Home画面の表示例を示す図である。
【図１６】通信状態通知発光部の発光素子の模式的な等価回路を示す図である。
【図１７】通信状態通知発光部の機能構成例を示すブロック図である。
【図１８】データ送信時における調光の例を示す図である。
【図１９】データ受信時における調光の例を示す図である。
【図２０】データ送信時における調光の他の例を示す図である。
【図２１】データ受信時における調光の他の例を示す図である。
【図２２】VoIP着信時における調光の例を示す図である。
【図２３】VoIP発信時における調光の例を示す図である。
【図２４】VoIP着信時における調光の他の例を示す図である。
【図２５】VoIP発信時における調光の他の例を示す図である。
【図２６】ファイルトランスファー機能による受信処理を説明するフローチャートである。
【図２７】図２６のステップＳ２の処理を説明するフローチャートである。
【図２８】ファイルトランスファー機能による送信処理を説明するフローチャートである。
【符号の説明】
【０２３４】
１  情報通信端末，  １１  ネットワーク，  １２  サーバ，  １３  パーソナルコンピュータ，  ２１  表示部，  ２２  ＷＬＡＮモード切替ボタン，  ２３  ＨＯＭＥボタン，  ２４  ＢＡＣＫボタン，  ２５  オプションボタン，  ２６  ４方向キー，  ２７  決定ボタン，  ２８  スピーカ，  ２９  マイク，  ３０  ＷＬＡＮ ＯＮ/ＯＦＦスイッチ，  ３１  ＷＬＡＮ状態通知発光部，  ３２  電源状態通知発光部，  ３３  電源スイッチ，  ３４  通信状態通知発光部，  ３５  ミュージックキー，  ４１  バッテリーカバー，  ４２  リンガースピーカ，  ４３  HOLDスイッチ，  ４４  ボリュームボタン，  ５１  USBコネクタ，  ５２  コネクタジャック，  ８４  発光素子，  ８５  導光管，  １０１  常時表示パネル，  １３１  アプリケーションプロセッサ，  １３２  オーディオプロセッサ，  １４２  表示モジュール，  １４３  バックライトドライバ，  １４４  発光モジュール，  １４５  オーディオ変換モジュール，  １４６  フラッシュメモリ，  １４７  メモリ，  １４８  無線通信モジュール，  １４９  キーボードモジュール，  １５０  入力モジュール，  １５２  オーディオ信号処理モジュール，  １５３  リアルタイムクロック（RTC），  １５４  大容量フラッシュメモリ，  １５５  メモリバス，  １５６  フラッシュメモ，  １５７  メモリ，  ５２１  検出部，  ５２２  制御部，  ５２３  調光部，  ５２４  発光部
【図１】
2007180934.tif 000003
【図２】
2007180934.tif 000004
【図３】
2007180934.tif 000005
【図４】
2007180934.tif 000006
【図５】
2007180934.tif 000007
【図６】
2007180934.tif 000008
【図７】
2007180934.tif 000009
【図８】
2007180934.tif 000010
【図９】
2007180934.tif 000011
【図１０】
2007180934.tif 000012
【図１１】
2007180934.tif 000013
【図１２】
2007180934.tif 000014
【図１３】
2007180934.tif 000015
【図１４】
2007180934.tif 000016
【図１５】
2007180934.tif 000017
【図１６】
2007180934.tif 000018
【図１７】
2007180934.tif 000019
【図１８】
2007180934.tif 000020
【図１９】
2007180934.tif 000021
【図２０】
2007180934.tif 000022
【図２１】
2007180934.tif 000023
【図２２】
2007180934.tif 000024
【図２３】
2007180934.tif 000025
【図２４】
2007180934.tif 000026
【図２５】
2007180934.tif 000027
【図２６】
2007180934.tif 000028
【図２７】
2007180934.tif 000029
【図２８】
2007180934.tif 000030